(57)【特許請求の範囲】
【請求項１】
胴縁を収納可能な収納部と該収納部の縁部より幅方向に延出するフランジ部とを有する補強部材を補強位置で前記胴縁に被せる工程と、前記フランジ部に穿設された貫通孔を通して外壁パネルに孔を穿設する工程と、先端部に回転可能な係止片を有する固定部材を前記貫通孔と前記孔とに挿入する工程と、前記外壁パネルの外部で回転した前記係止片を前記外壁パネルに接触させた状態で前記固定部材の基端側よりナットを螺着させる工程と、水平方向に隣接する前記補強部材を連結する連結部材により水平方向に延在する目地を覆い、前記連結部材と前記外壁パネルとの間にコーキング材を充填する工程とを有し、
前記補強位置は、隣接する前記外壁パネル間に形成され、上下方向に延在する目地と、左右方向に延在する目地との交差位置である外壁パネルの補強方法。
【請求項２】
前記収納部の幅は前記胴縁の幅よりも広く、前記収納部の深さは前記胴縁の高さと同等又は略同等である請求項１に記載の外壁パネルの補強方法。
【発明の詳細な説明】
【技術分野】
【０００１】
本発明は、立体駐車場等の構造物に使用される外壁パネルを補強する為の外壁パネルの補強方法に関するものである。
【背景技術】
【０００２】
立体駐車場等の構造物の外壁には、スレート材等からなる外壁パネルが用いられる。隣接する外壁パネルの間（目地）には、防水の為のコーキング材が充填され、又外壁パネルは鉄骨に固着された胴縁にビスにより外側から固定されていた。
【０００３】
例えば建造から１０年程度が経過すると、目地に充填されたコーキング材が経年劣化し、コーキング材にひび割れ等が生じて防水性が低下する。防水性の低下により、外壁パネル間から構造物の内部に水が浸入する為、胴縁に腐食が生じる。胴縁が腐食すると、外壁パネルを固定するビスが効かなくなり、外壁パネルが胴縁から離反し、強風で外壁パネルが落下する虞れがある。
【０００４】
従って、胴縁に腐食が生じた構造物に対しては、外壁パネルの落下を防止する為、外壁パネルの補強を行う必要がある。
【０００５】
従来では、構造物の外側全面に仮設の足場を組み、コーキング材の補修を行い、腐食した胴縁に補強材を当ててビスの打直しを行った後、外壁パネルを再塗装することで外壁パネルの補強を行っていた。然し乍ら、仮設の足場を設置する為に多額の費用が掛り、更に工事が長期間に及んでいた。
【先行技術文献】
【特許文献】
【０００６】
【特許文献１】特許第５１６６１１５号公報
【発明の概要】
【発明が解決しようとする課題】
【０００７】
本発明は、安価且つ短時間で外壁パネルの補強が可能な外壁パネルの補強方法を提供するものである。
【課題を解決するための手段】
【０００８】
本発明は、胴縁を収納可能な収納部と該収納部の縁部より幅方向に延出するフランジ部とを有する補強部材を補強位置で前記胴縁に被せる工程と、前記フランジ部に穿設された貫通孔を通して外壁パネルに孔を穿設する工程と、先端部に回転可能な係止片を有する固定部材を前記貫通孔と前記孔とに挿入する工程と、前記外壁パネルの外部で回転した前記係止片を前記外壁パネルに接触させた状態で前記固定部材の基端側よりナットを螺着させる工程とを有する外壁パネルの補強方法に係るものである。
【０００９】
又本発明は、前記収納部の幅は前記胴縁の幅よりも広く、前記収納部の深さは前記胴縁の高さと同等又は略同等である外壁パネルの補強方法に係るものである。
【００１０】
又本発明は、前記補強位置は、隣接する前記外壁パネル間に形成され、上下方向に延在する目地と、左右方向に延在する目地との交差位置である外壁パネルの補強方法に係るものである。
【００１１】
更に又本発明は、水平方向に隣接する前記補強部材を連結する連結部材により水平方向に延在する前記目地を覆い、前記連結部材と前記外壁パネルとの間にコーキング材を充填する工程を更に有する外壁パネルの補強方法に係るものである。
【発明の効果】
【００１２】
本発明によれば、胴縁を収納可能な収納部と該収納部の縁部より幅方向に延出するフランジ部とを有する補強部材を補強位置で前記胴縁に被せる工程と、前記フランジ部に穿設された貫通孔を通して外壁パネルに孔を穿設する工程と、先端部に回転可能な係止片を有する固定部材を前記貫通孔と前記孔とに挿入する工程と、前記外壁パネルの外部で回転した前記係止片を前記外壁パネルに接触させた状態で前記固定部材の基端側よりナットを螺着させる工程とを有するので、補強作業は構造物の内部からの作業となり、構造物の外部に足場を組む必要がなくなることから、安価且つ短時間で前記外壁パネルの補強が行え、該外壁パネルの落下を防止することができるという優れた効果を発揮する。
【図面の簡単な説明】
【００１３】
【図１】本発明の第１の実施例に係る補強部材を示す斜視図である。
【図２】本発明の第１の実施例に係る固定部材を示す側面図であり、（Ａ）は挿入時の状態を示し、（Ｂ）は作動時の状態を示している。
【図３】本発明の第１の実施例に係る外壁補強構造を示す平断面図である。
【図４】本発明の第１の実施例に係る外壁補強構造を示す正面図である。
【図５】本発明の第１の実施例に係る外壁補強構造を示す側断面図である。
【図６】本発明の第２の実施例に係る外壁補強構造を示す正面図である。
【発明を実施するための形態】
【００１４】
以下、図面を参照しつつ本発明の実施例を説明する。
【００１５】
先ず、図１〜図５に於いて、本発明の第１の実施例に係る外壁補強構造について説明する。
【００１６】
図１は、本実施例で用いられる補強部材１を示している。該補強部材１は、例えば鉄製の板材であり、凸状に屈曲されることで内側に形成される収納部２と、該収納部２の縁部より左右方向（幅方向、水平方向）に延出するフランジ部３，３とが形成されている。
【００１７】
前記収納部２の幅は、後述する胴縁４（図３参照）の幅よりも広くなっている。又、前記収納部２の深さ、即ち前記フランジ部３の下面から前記収納部２の底面迄の高さは、前記胴縁４の高さと同等又は略同等となっている。
【００１８】
前記フランジ部３，３には、所定箇所、例えば各２箇所に貫通孔５が穿設されている。該貫通孔５には、後述する固定部材６が挿通される様になっている。
【００１９】
図２（Ａ）、図２（Ｂ）は、それぞれ該固定部材６を示している。該固定部材６は、基端側に螺子部７が形成されたシャフト８と、該シャフト８の先端（図２（Ａ）、図２（Ｂ）中紙面に対して左側）に取付けられた係止片９とから構成される。
【００２０】
該係止片９は、ピン１１を介して回転自在に設けられると共に、前記シャフト８を収納可能な溝（図示せず）が形成されている。該溝に前記シャフト８が収納された状態では、図２（Ａ）に示される様に、前記シャフト８と前記係止片９とが略直線上に並び、前記固定部材６が棒状となる。
【００２１】
又、前記係止片９は、前記シャフト８に対して偏心して設けられ、図２（Ａ）の様に前記固定部材６が棒状となっている場合は、前記係止片９の重心が前記ピン１１より先端側に位置する様になっている。従って、前記係止片９の回転を自由にすると、図２（Ｂ）に示される様に、前記係止片９が自重により回転し、前記固定部材６がＴ字状となる。
【００２２】
次に、図３〜図５に於いて、前記補強部材１と前記固定部材６とを用いた外壁パネルの補強について説明する。尚、図３中、紙面に対して上側が構造物の外部を示し、紙面に対して下側が構造物の内部を示している。又、図５中、紙面に対して右側が構造物の外部を示し、紙面に対して左側が構造物の内部を示している。
【００２３】
前記胴縁４は鉛直方向に延出し、構造物、例えば立体駐車場の壁部鉄骨（図示せず）に固着される。該胴縁４には、前記スレート材等からなる外壁パネル１２がビス１３で所定箇所、例えば左右各２箇所の計４箇所に止められて固定されている。又、隣接する前記外壁パネル１２，１２間には目地１４が形成されている。
【００２４】
該目地１４には、該目地１４の全長に亘って凸形状のアルミ製のジョイナ１５が内側より嵌入されている。又、前記目地１４には、外部からコーキング材１６が充填されている。
【００２５】
前記胴縁４の腐食は、特に上下方向に延在する目地１４ａと、左右方向に延在する目地１４ｂとが交差する位置及びその周辺に於いて、前記ビス１３の挿通箇所及びその周辺に生じ易い。従って、本実施例では、上下方向に延在する前記目地１４ａと、左右方向に延在する前記目地１４ｂとの交差位置及び周辺部を補強位置として、前記補強部材１を取付ける様になっている。以下、該補強部材１の取付け方法について説明する。
【００２６】
先ず、補強位置に於いて、前記胴縁４が前記収納部２に収納される様、前記補強部材１を前記胴縁４に被せる。次に、ドリルにより前記貫通孔５を通して内部から前記外壁パネル１２に孔を穿設する。
【００２７】
該外壁パネル１２の孔の穿設後、図２（Ａ）に示される様な、前記固定部材６を棒状にした状態で、前記貫通孔５及び前記外壁パネル１２の孔に前記固定部材６を挿入する。尚、図２（Ａ）が示す状態の上下逆の状態とすると、重力の作用で棒状が維持されるので作業が容易となる。
【００２８】
前記係止片９が完全に前記外壁パネル１２の外部に露出する迄前記固定部材６を挿入した後、前記シャフト８を回転させ、図２（Ａ）の状態にすることで、前記係止片９が自重により回転し、図２（Ｂ）に示される様な、前記固定部材６がＴ字状となる。
【００２９】
自重で回転した前記係止片９を前記外壁パネル１２に接触させた状態で、前記螺子部７にナット１７を螺着させ、所要のトルクで締込むことで、前記外壁パネル１２が前記フランジ部３と前記係止片９とで挾持された状態となる。この時、前記収納部２の深さが前記胴縁４の高さと同等又は略同等となっているので、前記収納部２と前記胴縁４とが密着し、前記胴縁４が前記補強部材１と前記外壁パネル１２とにより挾込まれた状態となる。従って、前記補強部材１は前記胴縁４を補強すると共に、前記補強部材１自体は前記外壁パネル１２に固定される。更に、該外壁パネル１２は、前記補強部材１を介して前記胴縁４に固定される。
【００３０】
従って、前記補強部材１を取付けることで、前記外壁パネル１２と前記胴縁４とが密着し、該胴縁４の強度が低下した部分を前記補強部材１が補い、前記外壁パネル１２の補強が完了する。
【００３１】
上述の様に、第１の実施例では、前記胴縁４に前記補強部材１を被せ、内部から前記貫通孔５を通して前記外壁パネル１２に孔を空け、該孔及び前記貫通孔５に前記固定部材６を挿入し、自重で回転した前記係止片９を前記外壁パネル１２に接触させた状態で、前記螺子部７に前記ナット１７を螺着することで、前記外壁パネル１２の補強を行っている。
【００３２】
従って、補強作業は構造物の内部からの作業となるので、構造物の外部に足場を組む必要がなく、安価で且つ短時間で前記外壁パネル１２の補強を行うことができ、確実に該外壁パネル１２の落下を防止することができる。
【００３３】
又、該外壁パネル１２の補強を行う際に必要な部材は前記補強部材１と前記固定部材６のみであり、溶接等の作業は不要であるので、施工コストを低減でき、容易に補強作業を行うことができる。
【００３４】
又、前記補強部材１を取付ける補強位置は、特に腐食が生じ易い上下方向に延在する前記目地１４ａと左右方向に延在する前記目地１４ｂとの交差位置であるので、腐食により前記胴縁４から離反した前記外壁パネル１２を、前記補強部材１を介して前記胴縁４に確実に固定でき、前記外壁パネル１２を効果的に補強することができる。
【００３５】
次に、図６に於いて、本発明の第２の実施例について説明する。尚、図６中、図４中と同等のものには同符号を付し、その説明を省略する。
【００３６】
第２の実施例に於ける補強部材２１は、左右方向（水平方向）に隣接し上下方向に延出する胴縁４，４に取付けられる第１補強部材２１ａ、第２補強部材２１ｂと、前記第１補強部材２１ａと前記第２補強部材２１ｂとを連結する板状の連結部材２２とから構成されている。前記第１補強部材２１ａと前記第２補強部材２１ｂと前記連結部材２２とは、例えば工場で事前に溶接されることで一体となっている。
【００３７】
前記第１補強部材２１ａと前記第２補強部材２１ｂは、第１の実施例に於ける前記補強部材１と同様の構造となっている。
【００３８】
又、前記連結部材２２は、左右方向に延びる目地１４ｂの幅よりも広い幅を有している。前記第１補強部材２１ａと前記第２補強部材２１ｂとが前記胴縁４，４に取付けられた際には、前記第１補強部材２１ａと前記第２補強部材２１ｂとの間の前記目地１４ｂが前記連結部材２２により覆われる様になっている。
【００３９】
前記補強部材２１を取付ける際には、先ず左右方向に延在するジョイナ１５（図５参照）を取外す。次に、前記連結部材２２により前記目地１４ｂが覆われる様上下方向の位置合せを行った状態で、前記第１補強部材２１ａと前記第２補強部材２１ｂとをそれぞれ外壁パネル１２に取付ける。
【００４０】
尚、前記第１補強部材２１ａと前記第２補強部材２１ｂの前記外壁パネル１２への取付け方法は、第１の実施例に於ける補強部材１の取付け方法と同様であるので説明を省略する。
【００４１】
最後に、前記外壁パネル１２と前記連結部材２２との間の隙間にコーキング材を充填することで、前記補強部材２１の取付けが完了する。
【００４２】
第２の実施例では、前記目地１４ｂが前記連結部材２２により覆われ、該連結部材２２と前記外壁パネル１２との間の隙間にコーキング材を充填する様になっている。従って、前記補強部材２１は、前記外壁パネル１２の補強に加え、前記目地１４ｂからの水の浸入を防止する効果も得ることができる。
【００４３】
尚、第２の実施例では、前記連結部材２２により２つの前記補強部材２１ａ，２１ｂを連結し、一体化させているが、前記連結部材２２を複数設け、３つ以上の補強部材を一体化させる様にしてもよい。
【符号の説明】
【００４４】
１              補強部材
２              収納部
３              フランジ部
４              胴縁
５              貫通孔
６              固定部材
７              螺子部
８              シャフト
９              係止片
１２            外壁パネル
１４            目地
１６            コーキング材
１７            ナット
２１            補強部材
２２            連結部材
【図１】
0006560600.tif 000002
【図２】
0006560600.tif 000003
【図３】
0006560600.tif 000004
【図４】
0006560600.tif 000005
【図５】
0006560600.tif 000006
【図６】
0006560600.tif 000007